(57)【特許請求の範囲】
【請求項１】
閃光発光管からの光を被写体に向けて照射する反射リフレクタを有するカメラのストロボ装置において、
上記閃光発光管の発光軸を原点とし、上記反射リフレクタの深さ方向をｘ軸、上記ｘ軸と垂直な開口方向をｙ軸とした際に、上記発光軸に垂直な平面によって得られる上記反射リフレクタの断面形状は、
上記閃光発光管の外周部に形成された円弧状部と、
上記原点、または、原点近傍の任意の点から上記反射リフレクタの出射方向側に向かって上記ｘ軸に対して第１の所定角度傾いた仮想直線上に位置する第１及び第２の楕円焦点を有して、上記円弧状部に繋げて形成された第１の楕円状部と、
上記原点、または、原点近傍の任意の点から上記反射リフレクタの出射方向側に向かって上記ｘ軸に対して第２の所定角度傾いた仮想直線上に位置する第１及び第２の楕円焦点を有して、上記第１の楕円状部に繋げて形成された第２の楕円状部と、
によって規定されることを特徴とするカメラのストロボ装置。
【請求項２】
上記第１の所定角度と上記第２の所定角度とは同一角度であり、また、上記第１の楕円状部の原点側にある第１の楕円焦点と上記第２の楕円状部の原点側にある第１の楕円焦点とは共通の位置にあることを特徴とする請求項１に記載のカメラのストロボ装置。
【発明の詳細な説明】
【０００１】
【発明の属する技術分野】
本発明は、カメラのストロボ装置、詳しくは、閃光発光管から出射した光を被写体に向け照射するためのカメラのストロボ装置に用いられる反射リフレクタの形状に関する。
【０００２】
【従来の技術】
一般的に知られているように従来のカメラのストロボ装置、すなわち、閃光発光装置おいては、図１１の閃光発光装置の斜視図に示すように、閃光発光装置の発光部は、円筒形状の発光管１と、この発光管１を覆うように配置されてた反射リフレクタ２で構成されている。上記発光管１と反射リフレクタ２は、ゴムバンド等で固定されている。
【０００３】
図１２、図１３は、それぞれ上記従来の閃光発光装置の発光管１の発光軸方向と垂直の断面形状を示しており、反射リフレクタ３，４の反射面３ａ，４ａの断面形状は、ａn を楕円の長軸とし、ｂn を楕円の短軸として、照射光軸方向に沿うｘ軸，該ｘ軸に直交するｙ′軸上にて、
（ｘ−ａn ）2 ／ａn 2 ＋ｙ′2 ／ｂn 2 ＝１…（１）
で表わされる楕円軌跡の一部で形成され、その焦点位置に発光管中心ｋn を持ってくるのが通常の配置である。
【０００４】
従来、効率のよい反射リフレクタとして、図１２のごとく、楕円の長軸長さａ1 を反射リフレクタ３の深さとし、楕円の短軸長さｂ1 を反射リフレクタ３の開口幅（開口径）Ｄ1 の半分にする手法が用いられている。これにより、発光管１から出射され、反射面３ａで反射した反射出射光の角度θ2 と、反射面３ａで反射せず、直接出射する直接出射光の角度θ1 とを同じ角度にすることができ、効率良く発光管１から出た光を被写体に向けて照射できる。なお、図１２の寸法Ｌ1 は、発光管１の半径を示している。
【０００５】
また、図１３に示す反射リフレクタ４は、小型化のため、反射リフレクタの深さとして楕円の長軸長さａ2 をカットして寸法ａ2′ まで短かくし、楕円の短軸長さｂ2 で決まる開口幅Ｄ2 を開口幅Ｄ2′ に狭くしたものである。このようにして小型化は実現できる。
なお、図１３において、発光管１の中心ｋ2 は、楕円反射面４ａの焦点に位置している。
【０００６】
また、別の構造の従来の小型の閃光発光装置としては、図１４に示すように発光管１の外周の中心ｋ3 位置をｘ軸、ｙ軸の原点に取り、そのｙ軸より反射リフレクタ５の深部側で発光管１の外周と交わっており、上記発光管中心ｋ3 を焦点とした楕円の一部で形成される楕円反射面５ａと、その交点ｍから交点ｎまでを発光管に沿った円弧反射面５ｂとで組み合わせた反射面をリフレクタ反射面として適用したものもある。
【０００７】
この従来の閃光発光管の構造では、発光管１の中心を円弧の中心とする円弧反射面５ｂと楕円反射面５ａとの交点ｍ、ｎを、ｙ軸と発光管１外周との交点に一致させた構造が最も効率を損なわず小型化できる。
【０００８】
例えば、図１４に示すように焦点である発光管ｋ3 の中心点ｋ3 から反射リフレクタ５の最深部までの距離をＬ3 、反射リフレクタ５の楕円反射面５ａの楕円仮想底面までの距離をＬ2 とすると、上記式（１）で示される楕円面定義式のａn 、ｂn に関して、楕円反射面のみの反射リフレクタ７に対する楕円反射面７ａで定義される深さａ3 、半開口幅ｂ3 に対し、反射リフレクタ５に対する楕円反射面５ａ，円弧面５ｂで定義される深さａ4 、半開口幅ｂ3′ の比率は、ほぼＬ2 ／Ｌ3 となる。したがって、それぞれ出射角がθ6 ，θ7 となるような反射リフレクタ５，７で比較する場合でも、開口幅Ｄ3′ は、開口幅Ｄ3 に対して、ほぼＬ2 ／Ｌ3 の大きさに、また、深さａ4 も、深さａ3 に対して、ほぼＬ2 ／Ｌ3 となる。
【０００９】
また、特公平６−１０７１２号公報に開示されたストロボ閃光器は、閃光発光装置の効率を維持し、小型化を計るために、反射リフレクタの照射側前面に凸フレネルレンズを置いた構造を有している。このストロボ閃光器においては、反射リフレクタの反射面で反射し、上記凸フレネルレンズで屈折照射された出射光の照射角に対して、上記反射面で反射せずに直接上記凸フレネルレンズで屈折照射された照射角とを同一にしている。このように照射角をとることで被写体への照射効率を上げている。
【００１０】
【発明が解決しようとする課題】
ところが、上述の図１２に示すような従来の反射リフレクタ３の場合、被写体への照射効率はよくなるが、反射リフレクタ３の深さは楕円の長軸長さａ1 に等しくする必要があり、また、反射リフレクタ開口幅Ｄ1 は、楕円の短軸長さｂ1 の２倍とする必要があり、実際、カメラに搭載するには、かなり大きなものとなって、カメラの小型化の防げになっていた。
【００１１】
例えば、図１２にあるように反射リフレクタの最深部をｘ軸、ｙ′軸の原点にとり、その原点から焦点である発光管中心点（発光軸）ｋ1 までの距離をＬ1 とし、仮に、照射角度θ1 ，θ2 をともに２０°、発光管１の外径を２．３ｍｍ、Ｌ1 を１．１５ｍｍとすると、
ａ1 ＝１９．０７ｍｍ
Ｄ1 ＝２×ｂ1 ＝１３．０４ｍｍ
となり、反射リフレクタ３としては深さ１９．０７ｍｍ、開口幅１３．０４ｍｍであるかなり大きな反射リフレクタになってしまい、カメラの小型化の妨げになるのは明白である。
【００１２】
また、上述の図１３の従来の反射リフレクタ４の場合、小型化はできるが、非常に効率の悪い反射リフレクタとなってしまう。
すなわち、一般に被写体照射角度としては、発光管を反射リフレクタが取り囲んでいる角度α1 と、取り囲んでいない角度α2 を比較して、取り囲んでいる角度α1 の方がはるかに大きいため、反射射出光角度θ4 で規定するのが通常である。しかし、上記図１３のような反射リフレクタ４の場合、
直接出射光角度θ5 ＞反射出射光角度θ4
となり、角度θ5 と角度θ4 との差が大きく、被写体照射角度とは関係のない損失光の割合が大きくなる。また、図１３における楕円長軸ａ2 を小さくして、反射リフレクタを小型化しようとすればするほど損失光が多くなり、照射効率という点で不利になる。
【００１３】
また、図１４に示すような従来の反射リフレクタ５の場合、発光管１の中心とする円弧反射面５ｂと楕円反射面５ａとの交点ｍ、ｎがｙ軸と一致した時が、効率をあまり損なわずに小型化できる。しかし、さらに小型化するためには、図１５の発光管まわりの拡大図に示すように、交点ｍ、ｎを反射リフレクタ５の開口方向側の交点ｍ′，ｎ′の位置まで移動させる必要がある。しかし、この移動に伴い、図１５の拡大断面図に示すように交点ｍ′，ｎ′に対する角度βの範囲の光が損失光となってしまい、小型化はできるが効率が非常に悪くなるという欠点があった。
【００１４】
また、特公平６−１０７１２号公報に開示のストロボ閃光器に示す反射リフレクタの場合、反射リフレクタの前面に凸フレネルレンズを置くため、フレネルによる光損失が発生することと、さらに、反射リフレクタとは別にフレネルレンズが必要となり、部品点数が増加し、コストが上昇するといった問題があった。
【００１５】
本発明は、上述の不具合を解決するためになされたものであって、集光用光学部品を設ける必要がなく、簡単な構成であって、撮影画角にあった理想的な照射特性と光量を得ることが可能で、しかも、小型で照射効率のよい反射リフレクタを持つカメラのストロボ装置を提供することを目的とする。
【００１６】
【課題を解決するための手段】
本発明の第１のカメラのストロボ装置は、閃光発光管からの光を被写体に向けて照射する反射リフレクタを有するカメラのストロボ装置において、上記閃光発光管の発光軸を原点とし、上記反射リフレクタの深さ方向をｘ軸、上記ｘ軸と垂直な開口方向をｙ軸とした際に、上記発光軸に垂直な平面によって得られる上記反射リフレクタの断面形状は、上記閃光発光管の外周部に形成された円弧状部と、上記原点、または、原点近傍の任意の点から上記反射リフレクタの出射方向側に向かって上記ｘ軸に対して第１の所定角度傾いた仮想直線上に位置する第１及び第２の楕円焦点を有して、上記円弧状部に繋げて形成された第１の楕円状部と、上記原点、または、原点近傍の任意の点から上記反射リフレクタの出射方向側に向かって上記ｘ軸に対して第２の所定角度傾いた仮想直線上に位置する第１及び第２の楕円焦点を有して、上記第１の楕円状部に繋げて形成された第２の楕円状部と、によって規定されることを特徴とする。
【００１７】
本発明の第２のカメラのストロボ装置は、上記第１のカメラのストロボ装置において、上記第１の所定角度と上記第２の所定角度とは同一角度であり、また、上記第１の楕円状部の原点側にある第１の楕円焦点と上記第２の楕円状部の原点側にある第１の楕円焦点とは共通の位置にあることを特徴とする。
【００１８】
【発明の実施の形態】
以下、本発明の実施の形態を図を用いて説明する。
本発明の第１の実施の形態を示すカメラのストロボ装置の発光部の概要から説明する。
【００１９】
上記ストロボ装置の発光部は、図１の断面図に示すように閃光発光管である発光管１と、この発光管１の発光を反射して被写体に向け、照射するための反射リフレクタ８とで構成される。
そして、上記反射リフレクタ８は、ストロボ装置の断面上で発光管１の発光軸である中心点ｋ4 を第１の楕円焦点とし、同様に発光軸上の点ｋ5 を第２の楕円焦点とした楕円Ｅｃを上記中心点ｋ4 を起点として所定角度γだけ回転させた楕円であって、上記中心点Ｋ4 を第１の楕円焦点と角度γだけ回転させた直線上の第２の楕円焦点ｋ5 ′とで定義され、点ｐを通る楕円Ｅｃ′の一部の楕円状部と、発光管１の外周部に形成された円弧状部とでその反射面が形成されている。
【００２０】
以下、上記ストロボ装置における発光部の詳細について説明する。
上記反射リフレクタ８は、アルミニウム材、あるいは、プラスチックで作られており、内面側が反射面となるように形成されている。
上記反射面の形状としては、上述したように発光管１の発光軸と直交する垂直断面を取ったとき、その断面形状がある配光特性をもつ楕円の一部の曲線から形成される楕円状部としての上，下楕円反射面８ａ，８ａ′と、発光管１をとり囲むよう形成された円弧状部である円弧反射面８ｂとで構成された形状を有している。
【００２１】
なお、図１に示されるｘ軸，ｙ軸は、発光管１の発光軸である中心点ｋ4 を原点とする直交座標軸を示し、ｘ軸は照射光軸と一致し、ｙ軸は、発光管１の発光軸方向（ｘ軸）と直交し、開口方向と平行とする。この座標系は、本実施の形態以外の第２，第３の実施の形態のストロボ装置についても適用する。
【００２２】
さて、上記楕円反射面８ａの形状は次のように形成されている。すなわち、図１に示すように上記ｘ軸，ｙ軸の原点を発光管１の中心点ｋ4 として、その点を第１の焦点とし、ｘ軸上に位置する第２の焦点ｋ5 とした楕円Ｅｃを作る。この楕円Ｅｃを所定回転角度γだけ回転し、楕円Ｅｃ´を作る。
上記回転角γは、発光管１外周と楕円Ｅｃとの交点ｏを、第１の焦点となる中心点ｋ4 を中心にして回転させて、上記交点ｏがｙ軸上に一致するときの回転角とし、このときの交点ｏが移動したｙ軸上の交点を点ｐとする。
なお、この回転角γと楕円Ｅｃとは、反射リフレクタの開口幅（開口径）Ｄ4 の大きさと照射角により任意に定義される。
【００２３】
楕円反射面のうち、上方の楕円反射面８ａは、リフレクタ開口部から上記ｙ軸上の交点ｐまでの楕円Ｅｃ′軌跡に沿った楕円面で形成され、下方の楕円反射面８ａ′は、上記楕円反射面８ａのｘ軸に対称な反射面で形成される。
【００２４】
また、円弧反射面８ｂは、発光管１の外周に沿った円弧状面であり、ｙ軸上の上記点ｐよりリフレクタ底側に形成される反射面とする。
このように円弧反射面８ｂを点ｐ以降とすることにより、円弧反射面８ｂで反射された光は、すべて前方に反射されるので、反射光の損失がなくなる。
【００２５】
いま、図１において、仮に、被写体照射角である直接出射角θ9 を２０°また、反射射出角θ10を２０°として、本実施の形態のストロボ装置の反射リフレクタ８と従来のストロボ装置における反射リフレクタ９の寸法を比較すると、本実施の形態の反射リフレクタ８の開口幅Ｄ4 ，照射光軸（ｘ軸）方向深さａ6 は、
Ｄ4 ＝５．９９ｍｍ
ａ6 ＝９．２０ｍｍ
となり、従来のストロボ装置の反射リフレクタ９の開口幅Ｄ5 ，照射光軸（ｘ軸）方向深さａ7 は、
Ｄ5 ＝１１．３ｍｍ
ａ7 ＝１６．６ｍｍ
となって、本実施の形態に適用される反射リフレクタ８はかなり小型化されていることがわかる。
【００２６】
このように本実施の形態のストロボ装置を実施することにより、反射リフレクタを小型化することができ、カメラ自体の小型化、あるいは、デザイン自由度に寄与することができる。また、上述したように円弧反射面と楕円反射面との交点ｐをｙ軸上に決めることで反射リフレクタの小型化とともに、高い照射効率を保つ要因となっている。
【００２７】
但し、上記回転角度γは、必ずしも楕円Ｅｃ´と発光管１外周との交点ｐが必ずしもｙ軸上に位置させるような角度でなくてもよい。
また、リフレクタ反射面はｘ軸に対称にするのが通常であるが、ｙ軸の＋側（上側）の反射面と、ｙ軸の−側（下側）の反射面とは、必ずしも同じ形状にする必要はない。さらに、楕円反射面は焦点の異なる複数の楕円反射面で構成されていてもよい。
【００２８】
次に、本発明の第２の実施の形態を示すカメラのストロボ装置について説明する。
図２は、本実施の形態のストロボ装置の発光部の断面図である。このストロボ装置の反射リフレクタ１０は、上述の第１の実施の形態における反射リフレクタで生成された形状の楕円反射面を複数個用いたものであって、被写体照射角度θ11として構成されている。
上述の反射リフレクタ１０は、各々の反射面での反射出射光が０°から被写体照射角度θ11の範囲で配光されるため、１つの反射面で作られる反射リフレクタに比べ配光を損なうことなく中心光量を上げることができる。
【００２９】
以下、本実施の形態のストロボ装置の発光部について図２を用いて詳細に説明する。
本装置の発光部は、閃光発光管である発光管１と、上下対称の反射リフレクタ部１０とから構成されており、上記反射リフレクタ部１０は、発光管１の中心点ｋ7 の外周に沿う円弧状部である円弧反射面１０ａ、および、第１の楕円状部である楕円反射面１０ｂと、第２の楕円状部である楕円反射面１０ｃ，第３の楕円状部である楕円反射面１０ｄを有している。
【００３０】
上記楕円反射面１０ｂは、まず、発光管１の外周の円弧反射面１０ａとｙ軸との交点ｑから、ｘ軸に平行な直線１２を引き、この直線１２に対して、ｘ軸に対してεの傾きをもった直線１１との交点を点ｋ8 としたとき、中心点ｋ7 と交点ｋ8 をそれぞれ第１の焦点と第２の焦点とし、交点ｑを通る楕円Ｅｄの一部であって、上記交点ｑを始点として後述する交点ｒの範囲の反射面で形成される。
【００３１】
また、楕円反射面１０ｃは、上記交点ｋ8 を通り、ｘ軸に対しθ11の傾きをもった直線１５と上記楕円Ｅｄとの交点である点ｒを求め、該点ｒを通るｘ軸に平行な直線１３を引き、上記直線１１との交点を点ｋ9 としたとき、上記中心点ｋ7 と上記交点ｋ9 をそれぞれ第１の焦点および第２の焦点とし、交点ｒを通る楕円Ｅｅの一部であって、上記交点ｒを始点として後述する交点ｓまでの範囲の反射面で形成される。
【００３２】
さらに、楕円反射面１０ｄは、上記交点ｋ9 よりｘ軸に対しθ11の傾きを持った直線１６と上記楕円Ｅｅとの交点である点ｓを求め、該点ｓを通るｘ軸に平行な直線１４を引き、上記直線１１との交点をｋ10としたとき、中心点ｋ7 と交点ｋ10をそれぞれ第１の焦点、および、第２の焦点とし、交点ｓを通る楕円Ｅｆの一部であって、上記交点ｓを始点として、交点ｋ10よりｘ軸に対し角度θ11の直線１７と上記楕円Ｅｆとの交点である点ｔまでの範囲の反射面で形成されており、上記交点ｔが開口端部となる。
【００３３】
上述のごとく生成された楕円反射面１０ｂ、１０ｃ、１０ｄで反射した光線はどのように反射するかというと、発光管中心ｋ7 から出射された光は、反射面１０ｄで角度０°からθ11の間で反射され、反射面１０ｃでも角度０°からθ11の間で反射され、反射面１０ｄでも角度０°からθ11の間で反射される。
【００３４】
上述のような反射面形状をもつ反射リフレクタ１０を適用する本ストロボ装置においては、各々の反射面で反射した光は、角度０°からθ11の範囲で出射される。これは、前記図１に示した反射リフレクタ８のように１つの楕円反射面で生成された反射リフレクタよりも中心（０°）方向に照射される光線がより多くなり、かつ、照射角θ11も満たされることになる。
【００３５】
本実施の形態のストロボ装置においては、反射リフレクタ１０の外形の小型化はもちろん可能であり、さらに、配光を損なうことなく、上述のように中心光量を上げることができる。
また、上記反射リフレクタ１０の楕円反射面を形成する楕円Ｅｄ、楕円Ｅｅ、楕円Ｅｆの焦点を結ぶ直線の傾き角度を上述のようにすべて角度εとする必要はなく、各々が別の角度でもよい。また、楕円Ｅｄ、楕円Ｅｅ、楕円Ｅｆの長軸は必ずしも一点で交わる必要はない。
【００３６】
次に、本発明の第３の実施の形態のカメラのストロボ装置について説明する。
図３は、本実施の形態のストロボ装置の発光部の断面図であり、図４（Ａ）は、上記ストロボ装置でオーバーハング部を持った場合の発光部の断面拡大図であり、図４（Ｂ）は、図３のＡ部拡大図である。
【００３７】
このストロボ装置の反射リフレクタ１０は、上述の第２の実施の形態における反射リフレクタで生成された形状の楕円反射面を２つを組み合わせた反射面を適用する。そして、小型化を計るための１つの楕円反射面１１ｂを形成する楕円Ｅｇと発光管１との交点ｕ′の位置を、発光管１の中心点ｋ11を通るｙ軸と発光管１外周との交点ｚよりも反射リフレクタの開口方向側にもってきたことを特徴としている。
【００３８】
ところが、このままだと図４（Ａ）に示すように上記反射リフレクタ１０は、楕円Ｅｈの一部の第２の楕円状部である楕円反射面１１ｃと、楕円Ｅｇの一部の第１の楕円状部である楕円反射面１１ｂと、中心点ｋ11を中心とした円弧状部である円弧反射面１１ａとで構成されるものの、上記図４（Ａ）に示すように、円弧反射面１１ａとｙ軸との交点である点ｚと、楕円Ｅｇと発光管１との交点である点ｕ´との間では、円弧面がアンダーカットになり、角度δの損失角が生じる。さらに損失角度δで規定された円弧反射面部分が反射リフレクタ製作上もアンダーカット形状であり、プレス成形、または、モールド成形が困難になる。
【００３９】
そこで、これらの問題を解決するために、本実施の形態のものでは、図４（Ｂ）のように中心点ｋ11を中心とした円弧反射面１１ａに接し、ｘ軸に平行な平面反射面１１ｄを形成するようにした。このような形状を採用することにより、プレス加工等を容易とし、光の損失を最小限に抑え、しかも小型化を可能にしている。
【００４０】
以下、図３の断面図、図３のＡ部拡大図である図４（Ｂ）の要部拡大断面図をもとに本ストロボ装置の発光部についてその詳細を説明する。
本ストロボ装置の発光部は、閃光発光管である発光管１と反射リフレクタ１１で構成され、すでに説明したように上記反射リフレクタ１１の反射面は、上下対称の円弧反射面１１ａ，楕円反射面１１ｂ，楕円反射面１１ｃ，平面反射面１１ｄで形成されている。
【００４１】
上記反射リフレクタ１１の楕円反射面１１ｂは、図４（Ｂ）に示すように発光管１の中心点ｋ11を中心とした円弧で形成される円弧反射面１１ａと円弧反射面上の点ｕ′から、ｘ軸に平行な直線１８を引き、図３に示すようにその直線１８とｘ軸に対し角度μの傾きをもった直線２２との交点を点ｋ12としたとき、中心点ｋ11と交点ｋ12をそれぞれ第１の焦点と第２の焦点とし、点ｕ′を通る楕円Ｅｇの一部で形成される反射面とする。
【００４２】
また、楕円反射面１１ｃは、上記交点ｋ12を通りｘ軸に対し角度θ12の直線２０と楕円Ｅｇとの交点ｖを求め、該交点ｖからｘ軸に平行な直線１９を引き、その直線１９とｘ軸に対し角度πの傾きをもった直線２３との交点をｋ13としたとき、中心点ｋ11と交点ｋ13をそれぞれ第１の焦点と第２の焦点とし、交点ｖを通る楕円Ｅｈの一部で形成される。そして、該反射面１１ｃは、交点ｋ13を通りｘ軸に対し角度θ12の直線２１と楕円Ｅｈとの交点ｗが端面位置となる。
さらに、図４（Ｂ）に示すように平面反射面１１ｄは、円弧反射面１１ａとｙ軸との交点ｚから、その交点ｚを通りｘ軸に平行に引いた直線の楕円Ｅｇとの交点ｕまでの平面状の反射面である。
【００４３】
本実施の形態のストロボ装置では、その反射リフレクタ１１が反射面１１ａ、１１ｂ、１１ｃ、１１ｄで構成された反射面を持ち、楕円Ｅｇと発光管１との交点ｕ´の位置を、円弧反射面１１ａとｙ軸との交点ｚからその交点を通り、ｘ軸に平行に引いた直線と楕円Ｅｇとの交点ｕに移動させたため、製作が容易であって、より反射光損失の少ない小型の反射リフレクタを用いることができる。
なお、この実施の形態のストロボ装置の反射リフレクタ１１は、ｘ軸に対称の形状となっているが、もちろん、ｘ軸に対し非対称でもなんら問題はない。
【００４４】
なお、本実施の形態のストロボ装置に適用される２つ楕円反射面と１つ円弧反射面と１つの平面反射面で構成される反射リフレクタ１１と、従来のストロボ装置の反射リフレクタ１２とを比較すると、例えば、損失角δ（図４（Ｂ）参照）を１１°、反射出射角θ12を２３°、直接出射角度θ13を２６°とした場合、本実施の形態による反射リフレクタ１１では、開口幅Ｄ6 ，深さａ8 は、
Ｄ6 ＝５．５ｍｍ
ａ8 ＝５．９ｍｍ
となり、従来のストロボ装置での楕円反射面１２ａで作られる反射リフレクタ１２では、開口幅Ｄ7 ，深さａ9 は、
Ｄ7 ＝９．１６ｍｍ
ａ9 ＝１０．２８ｍｍ
となる。
【００４５】
両者の間では、深さで４．３８ｍｍ、開口幅で３．６ｍｍの差が生じ、本実施の形態の反射リフレクタ１１の方がかなり小さくなることがわかる。
上述のように本ストロボ装置に反射リフレクタ１１を使用することによりカメラの小型化に十分対応でき、デザインの自由度も増し、しかも、平面反射面を設けたため、より小型の反射リフレクタの製作も容易となる。
【００４６】
以上、説明した各実施の形態のストロボ装置の反射リフレクタについて、実際の加工時には円弧反射面と楕円反射面との交点、あるいは、平面反射面と楕円反射面との交点の部分には図５の拡大断面図に示すように加工のための曲率Ｒが必ず生じる。そのため、照射効率が多少落るという不具合が生じる。
【００４７】
その対策としては、図６，７の拡大図に示すように、楕円反射面１３ａ、または、１５ａを持つリフレクタ部と円弧反射面１４ａ、または、１６ａを持つリフレクタ部を分離したり、図８の拡大図のように円弧反射面１７ａとそれに続く平面反射面１８ａとを持つリフレクタ部と楕円反射面１９ａを持つリフレクタ部とを分離して、上述の加工曲率をなくした変形例が考えられる。
【００４８】
図６の変形例の反射リフレクタでは、ｙ軸上に楕円反射面１３ａをもつリフレクタ部と円弧反射面１４ａをもつリフレクタ部の接合部分を位置させている。また、図７の別の変形例の反射リフレクタでは、楕円反射面１５ａの端部をｙ軸上に位置させている。
また、図８のさらに別の変形例の反射リフレクタでは、円弧反射面１７ａと平面反射面１８ａとを持つリフレクタ部の外径部に楕円反射面１９ａを持つリフレクタ部を嵌入させている。
【００４９】
また、前記各実施の形態における反射リフレクタでの円弧反射面は、発光管１の発光軸である中心点を円弧の中心と一致させ、円弧の内径を発光管１の外径と同一としたが、これは必ずしも同一である必要はない。また、円弧反射面の中心、および、楕円反射面の第１の焦点も、発光管１の中心点と必ずしも一致している必要もなく、ストロボ装置の照射特性に合せて自由に設定することができる。その変形例について図９、図１０の拡大図により説明する。
【００５０】
図９に示す別の変形例の反射リフレクタ２０は、発光管１の中心点ｋ11からｘ軸の−方向へ距離Ｌ4 だけ移動した点２１を中心とする円弧反射面２０ｃと、上記距離Ｌ4 の間を平面反射面２０ｂと、ｙ軸上にその端部が位置する楕円反射面２０ａを有している。
【００５１】
また、図１０に示すさらに別の変形例の反射リフレクタ２２は、発光管１の中心点ｋ11からｘ軸の＋方向に距離Ｌ5 だけ移動した点２３を中心とする円弧反射面２２ｂと、ｙ軸上にその端部が位置する楕円反射面２２ａで構成された反射リフレクタである。
【００５２】
なお、上述の本各実施の形態、または、変形例のストロボ装置においては、フレネルレンズ等の集光用光学部材を使用しなくても必要な照射配光は得られるが、必要に応じて、集光用光学部材も使用しても良い。また、上記ストロボ装置による反射リフレクタは、ｘ軸に対称でなく非対称であっても問題はない。さらには、発光管中心が楕円の焦点に必ず一致させる必要もない。
【００５３】
（付記）
上述した発明の実施の形態に基づいて、以下に記載する構成を有するカメラのストロボ装置を提案することができる。
【００５４】
（１）  閃光発光管からの光を被写体に向けて照射する反射リフレクタを有するカメラのストロボ装置において、
上記閃光発光管の発光軸を原点とし上記反射リフレクタの深さ方向をｘ軸、上記ｘ軸と垂直な開口方向をｙ軸とした際に、上記発光軸に垂直な平面によって得られる上記反射リフレクタの断面形状は、
上記閃光発光管の外周部に形成された円弧状部と、
上記原点、又は原点近傍の任意の点から上記反射リフレクタの出射方向側に向かって上記ｘ軸に対して所定の角度傾いた仮想直線上に位置する第１及び第２の楕円焦点を有する楕円の一部によって形成される楕円状部と、
によって規定されることを特徴とするカメラのストロボ装置。
【００５５】
（２）  上記円弧状部と上記楕円状部とは連続していることを特徴とする付記（１）記載のカメラのストロボ装置。
【００５６】
（３）  上記円弧状部と上記楕円状との間には、上記ｘ軸と平行な平行部が設けられており、上記円弧状部、上記楕円状部及び平行部は連続した面を形成していることを特徴とする付記（２）記載のカメラのストロボ装置。
【００５７】
（４）  閃光発光管からの光を被写体に向けて照射する反射リフレクタを有するカメラのストロボ装置において、
上記閃光発光管の発光軸を原点とし上記反射リフレクタの深さ方向をｘ軸、上記ｘ軸と垂直な開口方向をｙ軸とした際に、上記発光軸に垂直な平面によって得られる上記反射リフレクタの断面形状は、
上記閃光発光管の外周部に形成された円弧状部と、
上記原点、又は原点近傍の任意の点から上記反射リフレクタの出射方向側に向かって上記ｘ軸に対して所定の角度傾いた仮想直線上に位置する第１及び第２の楕円焦点を有する複数の楕円によって形成される楕円状部と、
によって規定されることを特徴とするカメラのストロボ装置。
【００５８】
（５）  上記複数の楕円における原点側の第１の楕円焦点は、共通であることを特徴とする付記（４）記載のカメラのストロボ装置。
【００５９】
（６）  上記円弧状部の中心と上記楕円状部の焦点は、一致していることを特徴とする付記（４）または付記（５）記載のカメラのストロボ装置。
【００６０】
【発明の効果】
以上説明したように本発明によれば、フレネルレンズ等の集光用光学部材を使用することなく、反射リフレクタが簡単な形状で形成され、理想的な配光特性が得られ、さらに、小型で反射効率のよいカメラのストロボ装置を提供することができる。また、反射リフレクタの反射面形状として複数の楕円状部を組み合わせることによって、さらに中心光量を増やした理想的な配光特性を得ることが可能になる。
【００６１】
さらに、本発明によれば、上述した効果に加え上記第１の楕円状部の原点側にある第１の楕円焦点と上記第２の楕円状部の原点側にある第１の楕円焦点とは共通の位置にあることによって、さらなる小型化と反射効率のアップを実現することが可能になる。
【図面の簡単な説明】
【図１】  本発明の第１の実施の形態のカメラのストロボ装置の断面図。
【図２】  本発明の第２の実施の形態のカメラのストロボ装置の断面図。
【図３】  本発明の第３の実施の形態のカメラのストロボ装置の断面図。
【図４】  図３のストロボ装置の発光部の拡大断面図であって、図４（Ａ）は、オーバーハング部を持った場合の発光部の拡大断面図であり、図４（Ｂ）は、図３のＡ部拡大図である。
【図５】  図３のストロボ装置において、円弧反射面と楕円反射面の接合部分が加工曲率を持つ場合の拡大断面図。
【図６】  上記各実施の形態のカメラのストロボ装置の反射リフレクタの変形例における発光管周りの拡大断面図。
【図７】  上記各実施の形態のカメラのストロボ装置の反射リフレクタの別の変形例の発光管周りの拡大断面図。
【図８】  上記各実施の形態のカメラのストロボ装置の反射リフレクタのさらに別の変形例の発光管周りの拡大断面図。
【図９】  上記各実施の形態のカメラのストロボ装置の反射リフレクタのさらに別の変形例の発光管周りの拡大断面図。
【図１０】  上記各実施の形態のカメラのストロボ装置の反射リフレクタのさらに別の変形例の発光管周りの拡大断面図。
【図１１】  従来の閃光発光装置の斜視図。
【図１２】  図１１の従来の閃光発光装置の断面図。
【図１３】  別の従来の閃光発光装置の断面図。
【図１４】  さらに別の従来の閃光発光装置の断面図。
【図１５】  さらに別の従来の閃光発光装置の発光管周りの拡大断面図。
【符号の説明】
１        ……発光管（閃光発光管）
８，１０，１１
……反射リフレクタ
８ｂ，１０ａ，１１ａ，２０ｃ，２２ｂ
……円弧反射面（円弧状部）
８ａ，１３ａ，１５ａ，１９ａ，２０ａ，２２ａ
……楕円反射面（楕円状部）
１０ｂ，１１ｂ
……楕円反射面（第１の楕円状部）
１０ｃ，１０ｄ，１１ｃ
……楕円反射面（第２の楕円状部）
Ｅｃ′，Ｅｄ，Ｅｆ，Ｅｇ，Ｅｈ
……楕円
Ｄ4 ，Ｄ6 ……開口幅（開口径）
ｋ4 ，ｋ7 ，ｋ11
……発光管中心点
（発光軸，起点，第１の焦点）
ｋ5 ，ｋ8 ，ｋ9 ，ｋ10，ｋ12，ｋ13
……交点（第２の焦点）
ｘ        ……照射光軸方向に沿う軸
（反射リフレクタの深さ方向）
ｙ        ……ｘ軸と垂直で開口方向と平行な軸
γ，ε，μ，π
……直線の傾斜角度
【図１】
0003672990.tif 000002
【図２】
0003672990.tif 000003
【図３】
0003672990.tif 000004
【図４】
0003672990.tif 000005
【図５】
0003672990.tif 000006
【図６】
0003672990.tif 000007
【図７】
0003672990.tif 000008
【図８】
0003672990.tif 000009
【図９】
0003672990.tif 000010
【図１０】
0003672990.tif 000011
【図１１】
0003672990.tif 000012
【図１２】
0003672990.tif 000013
【図１３】
0003672990.tif 000014
【図１４】
0003672990.tif 000015
【図１５】
0003672990.tif 000016